(57)【特許請求の範囲】
【請求項１】
ノズルを備え、給水された洗浄水を前記ノズルから吐出する吐水装置であって、
前記ノズルは、洗浄水が流入する旋回室と、前記旋回室に洗浄水を供給する第一給水部と、前記旋回室の上端に設けられた吐水孔部と、一端部が前記吐水孔部側に配置され、しかも内部には前記旋回室に供給された洗浄水を前記一端部側から吐水可能とする吐水流路が形成された吐水体と、前記吐水体を把持する可撓性の把持体と、前記第一給水部とは別の前記旋回室に洗浄水を供給する第二給水部とを備え、
前記第一給水部からの洗浄水は前記吐水体の側面部に向かって供給され、第二給水部からの洗浄水は前記吐水体の他端部側に向かって洗浄水を供給されることを特徴とする吐水装置。
【請求項２】
前記第二給水部の上流側に脈動発生手段を設けたことを特徴とする請求項１に記載の吐水装置。
【請求項３】
前記吐水体の他端部は、前記第二給水部と前記旋回室とを連結する第二給水孔を、前記第二給水部から前記旋回室側へ見た投影面積内にあることを特徴とする請求項１または２に記載の吐水装置。
。
【発明の詳細な説明】
【技術分野】
【０００１】
本発明は、給水された洗浄水をノズルから吐水する吐水装置に関するものである。
【背景技術】
【０００２】
従来の吐水装置たとえば人体の局部を洗浄する人体衛生洗浄装置は、人体局部に対して吐水口から人体に吐水し、洗浄水で汚れを落とす。洗浄水の水勢は調整可能となっており、使用者は水勢を上げて、汚れをすばやく落としたり、刺激のある強い洗浄感の吐水によて洗浄を行うことができる。また、水勢を下げて、やわらかい感触の吐水で洗浄を行うこともでき、このように水勢を変えることによって好みの吐水を選択することができる。
【０００３】
さらに、より強い水流で洗浄しようとした場合、大量の洗浄水を吐水したり、より広い範囲を洗浄する目的および人体洗浄の場合の洗浄感を向上させるためには、洗浄ノズルからの吐水を広範囲から大量に吐水する必要があった。
その効果を、より少ない吐水量で達成する技術として、特開２００１−０８１８３７のように、吐水変動手段を設けて、吐水後の瞬間流量を変動させるものがある。
また、より多様な洗浄感を得られるようにするための技術として、特開２００８−００８０８４のように、公転周波数と洗浄水流量を独立して制御するものも知られている。
【先行技術文献】
【特許文献】
【０００４】
【特許文献１】特開２００１−０８１８３７号公報
【特許文献２】特開２００８−００８０８４号公報
【発明の概要】
【発明が解決しようとする課題】
【０００５】
しかし、特許文献２の構成においては、直線的な吐水を実現しようとしても、旋回室側面及び接線方向からの流入となり、回転体が旋回室中心軸上に保持されず、意図しない方向に吐水してしまう問題がある。
また、多様な洗浄感を実現するためには、特許文献２のように洗浄面積可変手段と刺激を任意に可変できる手段を選択できる事が望ましい。
よって、特許文献２のような回転する吐水体を備えた吐水装置に、特許文献１のような瞬間流量を変動させる手段備えた構成が考えられる。
しかし、この構成においても回転体が旋回室中心軸に保持されず、瞬間流量変動に伴い回転体が動いてしまい、吐水方向がまばらとなってしまう。
もちろん、吐水穴を回転吐水用とスポット洗浄用に分ければ実現可能だが、吐水口及び流路がそれぞれに必要となり、吐水装置の複雑化、巨大化に繋がる。
【０００６】
本発明は、上記問題を解決するものであり、吐水体を回転させることなく任意の方向に吐水が可能な吐水装置を提供する。さらに、瞬間流量変動手段を用いても任意の方向に吐水が可能な吐水装置を提供する。
【課題を解決するための手段】
【０００７】
第１の発明は、ノズルを備え、給水された洗浄水を前記ノズルから吐出する吐水装置であって、
前記ノズルは、洗浄水が流入する旋回室と、前記旋回室に洗浄水を供給する第一給水部と、前記旋回室の上端に設けられた吐水孔部と、一端部が前記吐水孔部側に配置され、しかも内部には前記旋回室に供給された洗浄水を前記一端部側から吐水可能とする吐水流路が形成された吐水体と、前記吐水体を把持する可撓性の把持体と、前記第一給水部とは別の前記旋回室に洗浄水を供給する第二給水部とを備え、
前記第一給水部からの洗浄水は前記吐水体の側面部に向かって供給され、第二給水部からの洗浄水は前記吐水体の他端部側に向かって洗浄水を供給されることを特徴とする吐水装置である。
【０００８】
本発明により、第一給水部から洗浄水が供給されることによって、吐水体が回転することにより広範囲の洗浄が可能であり、かつ第二給水部から洗浄水が供給されることによって、吐水体が回転することなく任意の方向へ吐水することが可能となる。
【０００９】
第２の発明は、前記第二給水部の上流側に脈動発生手段を設けたことを特徴とする請求項１に記載の吐水装置である。
【００１０】
本発明により、請求項１の吐水装置であって、脈動発生手段を設けた場合でも任意の方向へ吐水することが可能となる。
【００１１】
第３の発明は、前記吐水体の他端部は、前記第二給水部と前記旋回室とを連結する第二給水孔を、前記第二給水部から前記旋回室側へ見た投影面積内にあることを特徴とする請求項１の吐水装置である。
【００１２】
本発明により、請求項１の吐水装置において、第二給水部から洗浄水が供給された場合に、吐水体が任意の方向に安定することが可能となる。
【発明の効果】
【００１３】
本発明は、吐水体を回転させることなく任意の方向に吐水が可能な吐水装置を提供できる。
【図面の簡単な説明】
【００１４】
【図１】本発明の吐水装置を備えた人体衛生洗浄装置３００ を便器に設置した際の斜視図である。
【図２】本実施例の局部洗浄装置３００の概略構成を表すブロック図である。
【図３】本実施例の洗浄ノズル３０８の概略構成を表す断面図である。
【図４】本実施例の電磁ポンプ３０５の概略構成を表す断面図である。
【発明を実施するための形態】
【００１５】
次に本発明に係る吐水装置、人体衛生洗浄装置の実施形態を実施例に基づき説明する。図１は、本発明の吐水装置を備えた人体衛生洗浄装置３００ を便器に設置した際の斜視図を示す。使用者は洗浄ノズルから吐水された洗浄水で洗浄を行い、その際図中に示すリモコン操作部７ にて人体洗浄装置３００の操作を行う。図２は本実施例の局部洗浄装置３００の概略構成を表すブロック図である。
【００１６】
図２ に示すように、局部洗浄装置３００は、外部の給水源側から順に、給水ユニット３０２と熱交換ユニット３０４と電磁ポンプ３０５と流調弁３０６と洗浄ノズル３０８を設ける。洗浄ノズル３０８は、ノズル駆動モータ３１０により、装置本体内の待機位置とお尻又はビデの各洗浄位置との間を進退するよう構成されている。
【００１７】
流調弁３０６は洗浄ノズル３０８の後端部に接続されている。洗浄ノズル３０８の後端部内には流路切替機構７１が組み込まれている。流路切替機構７１はノズル端部と一体として装着されている。また、洗浄ノズル３０８の先端部にはノズルヘッド２００が装着されており、このはノズルヘッド２００にはお尻洗浄用吐水孔３１、ビデ洗浄用吐水孔３３が形成されている。
【００１８】
局部洗浄装置３００ は、流調弁３０６で流量調整された洗浄水を、流路切替機構７１を介して洗浄ノズル３０８に送り込み、お尻洗浄用吐水孔３１やビデ洗浄用吐水孔３３から吐水する。
【００１９】
図２ に示すように、局部洗浄装置３００は電子制御装置３１２を備える。電子制御装置３１２は、リモコン操作部７ に設けたお尻洗浄ボタン９ １ やビデ洗浄ボタン９３ 、流量比調整ボタン（ 図２ におけるリモコン７ の上側の△ 、▽ ）、人体洗浄装置の洗浄流量を調整する水勢ボタン（ 図２ におけるリモコン７ の下側の△ 、▽ ） 、給水ユニット３０２ 、熱交換ユニット３０４ 、流調弁３０６ 、洗浄ノズル３０８、ノズル駆動モータ３１０のそれぞれと、電気信号の送受信が可能に接続されている。
【００２０】
電子制御装置３１２は、上記の各操作ボタンの操作に応じて、洗浄ノズル３０８の進退駆動、洗浄水の給水並びに止水、洗浄水の温水化、洗浄水の水勢調整、洗浄強さを調整する流量切替調整等の制御を行う。
【００２１】
次に洗浄ノズル３０８の構成について図３を用いて説明する。図３は非通水時のノズルヘッド２００の断面図である。
【００２２】
洗浄ノズル３０８に洗浄水が供給されると、ノズルヘッド２００内の通水路６２、旋回室流入路６３、旋回室６４の順に通過する。
【００２３】
旋回室流入路６３は通水路６２より通水断面積が小さく構成されており、かつ旋回室６４の中心に対して偏芯して洗浄水が供給されるように構成している。
【００２４】
又、洗浄ノズル３０８に組み込まれている流路切替機構７１により、ノズルヘッド２００内、上記通水路６２とは異なる洗浄水流路８２へ流路切替が可能となっている。
【００２５】
ノズルヘッド２００内の通水路８２においては、供給された洗浄水を旋回室６４の中心軸上に旋回室流入路８３を構成しており、旋回室６４に対して軸方向へ洗浄水が供給される。
【００２６】
なお、ここで、洗浄水流路６２が「第一給水部」に、洗浄水流路８２が「第二給水部」に該当する。
【００２７】
旋回室６４内部には吐水体７０が設けられており、この吐水体７０は洗浄水が給水される給水口７４ と連通して洗浄水を噴射吐水する吐水孔７３、旋回室６４中の洗浄水より流れのエネルギーを受ける受力部７５より構成されている。吐水体７０の側面に開設された給水口７４と、吐水体７０の上面に開設された吐水孔７３とは、吐水流路で連通している。
【００２８】
中央に貫通孔７６ａ を有する抜止部材７６を旋回室６４の上部に設け、抜止部材７６は吐水体７０の受力部７５が旋回室６４内の中心軸に対して傾斜公転可能になる様に把持体７２によって吐水体７０の上方を支持している。
【００２９】
従って、旋回室流入路６３から旋回室６４内部に洗浄水が供給されて洗浄水が旋回室６ ４内部で旋回することで発生する遠心力と洗浄水の運動エネルギーを吐水体７０の受力部７５が受け、吐水体７０が旋回室６４中心軸に対して傾斜して公転運動（ 首振り運動）する構成になっている。 
【００３０】
前記の構成により、旋回室流入路６３から旋回室６４に洗浄水が供給された場合は、吐水体７０の側面に開設された給水口７４から吐水体７０の内部に洗浄水が流入する。給水口７４から吐水体７０の内部に流入した洗浄水は、吐水体７０の内部と連通した吐水孔７３から洗浄水が噴射吐水される。つまり、吐水体７０が、旋回室６４中心軸まわりの公転運動をおこないながら、洗浄水を噴射吐水することで、吐水された洗浄水の軌跡は螺旋を描きながら円錐状に拡大吐水される。
【００３１】
また、旋回室流入路８３から旋回室６４へ洗浄水が供給された場合は、旋回室流入路８３が旋回室６４の中心軸上に設けられており、吐水体７０の受力部７５全周に洗浄水が通水されるため、吐水体７０の受力部７５全体で均一な供給圧力となるため、旋回室６４内で洗浄水は旋回せず、吐水体７０は旋回室６４の中心軸上に回転することなく、状態を保持する構成となっている。
【００３２】
よって、洗浄水流路８２、旋回室流入路８３から旋回室６４へ洗浄水が供給された場合は、吐水体７０の側面に開設された給水口７４から吐水体７０の内部に洗浄水が流入する。給水口７４から吐水体７０の内部に流入した洗浄水は、吐水体７０の内部と連通した吐水孔７３から洗浄水が噴射吐水される。つまり、吐水体７０が公転運動を行わないため、直線状に吐水される。
【００３３】
前述した旋回室流入路８３を、旋回室６４の軸上に配置することで吐水体７０を公転運動させずに旋回室６４の中心軸上に保持する構成となっているが、大量の生産を行った場合に発生する、旋回室流入路８３中心軸と旋回室６４中心軸の軸ずれ、および洗浄水の水量が大量にあった場合においては、旋回室６４に流入する流速が増すことで旋回室６４内水圧バランスが不均一となる可能性もある。
【００３４】
よって、旋回室流入路８３の洗浄水が流れる方向に見たとき、旋回室流入路８３流入開口投影面積内に吐水体７０が配置されていることで、吐水体７０の受力部７５全周に旋回室軸方向の水流が発生し、吐水体が旋回室６４の中心軸上に、より保持されやすくなる。
【００３５】
次に脈動発生手段として備えている電磁ポンプ３０５に関して、その構成を説明する。図４はその一部断面を示す縦断面図である。 
【００３６】
ボビン３３に捲装した電磁コイル３４の軸心孔に挿嵌してこれに囲繞された管柱シリンダ３９内を、その上流側端部に嵌合する本体２０の要部と、その下流側端部位に嵌合する磁気ヘッド３５との間に、それぞれ保持ばね４０と戻しばね３６との間に挟持圧設されて摺動往復自在で、逆止弁５５を備えた電磁プランジャ３８は、前記電磁コイル３４へパルス状断続電流を付勢すると、そこに発生する断続した磁力と前記戻しばね３６の反発力とによって往復作動するように構成されている。 
【００３７】
電磁プランジャ３８が往復運動することにより、洗浄水を加圧して波状衝撃的脈動を付与して、吐出側から噴流吐出させる構成である。
【００３８】
この波状衝撃脈動を付与した洗浄水が洗浄ノズル３０８に供給され、ノズルヘッド２００内の洗浄水流路８２、旋回室流入路８３、旋回室６４の順に通過した場合においても、旋回室流入路８３を旋回室軸上に備えているため、変動する圧力を吐水体７０が受けた場合においても中心軸上に回転することなく状態を保持できる。
【００３９】
吐水体７０が保持されることにより、前途したように、吐水体７０が公転運動を行わないため、直線状かつ波状衝撃脈動の吐水となることで、洗浄効果を高めることができる。
【符号の説明】
【００４０】
３０８  洗浄ノズル
６２  第一給水部
６４  旋回室
７０  吐水体
７１  流路・流量切替機構（流量調整部）
７２  把持体 
７３  吐水孔 
７４  給水口
８２  第二給水部
【図３】
0005674244.tif 000002
【図１】
0005674244.tif 000003
【図２】
0005674244.tif 000004
【図４】
0005674244.tif 000005